(57)【要約】【課題】停電時において、発電装置および蓄電池の能力を十分に活用する。【解決手段】蓄電システム１０は、蓄電装置３０と、制御装置４０とを具備する。蓄電装置３０は、充放電実行部３４と、停電検出部３５とを具備する。停電時において、発電装置２０の自立運転機能により出力された電力を負荷に供給する切替部３２と、発電装置２０が生成した電力を蓄える蓄電池３３と、制御装置４０から指示された充電電流または充電電力に応じた電流で、蓄電池３３を充電する充放電実行部３４とを具備する。制御装置４０は、停電時において、所定の時間帯であって、且つ、発電装置２０によって負荷に供給される電力が発電装置２０の自立運転機能により出力されている電力を下回っている場合に、充電電力を調整し、調整した充電電力または当該充電電力に応じた充電電流を蓄電装置３０に指示する充電制御部４１を具備する。【選択図】図１
2018170956.tif 000002
【特許請求の範囲】
【請求項１】
自然エネルギーに基づいて発電装置が生成した電力を蓄える蓄電装置と；
前記蓄電装置の充電を制御する制御装置と；
を具備する蓄電システムであって、
前記蓄電装置は、
停電時において、前記発電装置の自立運転機能により出力された電力を負荷に供給する電力線と；
前記発電装置が生成した電力を蓄える蓄電池と；
前記制御装置から指示された充電電流または充電電力に応じた電流で、前記蓄電池を充電する充放電実行部と；
を具備し、
前記制御装置は、
停電時において、所定の時間帯であって、且つ、前記発電装置によって前記負荷に供給される電力が前記発電装置の自立運転機能により出力されている電力を下回っている場合に、前記充電電力を調整し、調整した充電電力または当該充電電力に応じた充電電流を前記蓄電装置に指示する充電制御部；
を具備する蓄電システム。
【請求項２】
前記充電制御部は、
前記発電装置の自立運転機能により出力可能な値以下の電力値から、前記電力線によって前記負荷に供給される電力と、第一の電力とを差し引いた電力となるように前記充電電力を調整し、
前記第一の電力は、
前記発電装置の自立運転機能により出力された電力の変動幅、および、前記電力線によって前記負荷に供給された電力の変動幅に基づいて算出される請求項１に記載の蓄電システム。
【請求項３】
前記充電制御部は、
前記電力線によって前記負荷に供給された電力と、調整された前記充電電力との合計が、前記発電装置が自立運転機能により出力している電力を超えた場合に、予め定められた期間、前記蓄電池の充電停止させる充電停止指示を前記蓄電装置へ送信し、
前記充放電実行部は、
前記制御装置から前記充電停止指示を受信した場合に、前記蓄電池への充電を停止する請求項１または２に記載の蓄電システム。
【請求項４】
前記充電制御部は、
第二の電力を初期値として、前回調整した前記充電電力と、前記電力線によって前記負荷に供給される電力との合計が、前記発電装置の自立運転機能により出力される電力を、第一の時間継続して下回っている場合に、前記前回調整した充電電力に第三の電力を加えた電力となるように、今回の充電電力を調整する電力増加処理を行い、調整した充電電力または当該充電電力に応じた充電電流を前記蓄電装置に指示する請求項１に記載の蓄電システム。
【請求項５】
前記充電制御部は、
前回調整した充電電力と、前記電力線によって前記負荷に供給された電力との合計が、前記第一の時間以内に、前記発電装置が自立運転機能により出力している電力を超えた場合に、前回調整した充電電力から前記第三の電力よりも大きい第四の電力分減少させた電力となるよう前記充電電力を調整し、
前記第四の電力分減少させた電力となるよう調整した前記充電電力と、前記電力線によって前記負荷に供給されている電力との合計が、前記発電装置が自立運転機能により出力している電力を、前記第一の時間よりも長い第二の時間継続して下回った場合に、前記電力増加処理を再開する請求項４に記載の蓄電システム。
【請求項６】
自然エネルギーに基づいて発電装置が生成した電力を蓄える蓄電装置と；
前記蓄電装置の充電を制御する制御装置と；
を具備する蓄電システムであって、
前記蓄電装置は、
停電時において、前記発電装置の自立運転機能により出力された電力を負荷に供給する電力線と；
前記発電装置が生成した電力を蓄える蓄電池と；
前記制御装置から指示された充電電流で、前記蓄電池を充電する充放電実行部と；
を具備し、
前記制御装置は、
停電時において、所定の時間帯であって、且つ、前記発電装置によって前記負荷に供給される電力が前記発電装置の自立運転機能により出力されている電力を下回っている場合に、前記充電電流を調整し、調整した充電電流を前記蓄電装置に指示する充電制御部；
を具備する蓄電システム。
【請求項７】
前記充電制御部は、
前記発電装置の自立運転機能により出力可能な値以下の電流値から、前記電力線によって前記負荷に供給される電流値と、第一の電流値とを差し引いた電流となるように前記充電電流を調整する請求項６に記載の蓄電システム。
【請求項８】
前記所定の時間帯は、前記発電装置が自然エネルギーにより電力を生成することができる時間帯である請求項１から７のいずれか一項に記載の蓄電システム。
【請求項９】
自然エネルギーに基づいて発電装置によって生成された電力の蓄電装置への充電を制御する制御装置であって、
停電時において、所定の時間帯であって、且つ、前記発電装置によって負荷に供給される電力が前記発電装置の自立運転機能により出力されている電力を下回っている場合に、充電電力を調整し、調整した充電電力または当該充電電力に応じた充電電流を前記蓄電装置に指示する充電制御部；
を具備する制御装置。
【請求項１０】
自然エネルギーに基づいて発電装置によって生成された電力の蓄電装置への充電を制御する制御装置における制御方法であって、
停電時において、所定の時間帯であって、且つ、前記発電装置によって負荷に供給される電力が前記発電装置の自立運転機能により出力されている電力を下回っている場合に、充電電流を調整し、調整した充電電力または当該充電電力に応じた充電電流を前記蓄電装置に指示する工程
を含む制御方法。
【請求項１１】
自然エネルギーに基づいて発電する発電装置と；前記発電装置が生成した電力を蓄える蓄電装置と；前記蓄電装置の充電を制御する制御装置と；を具備する創蓄電システムであって、
前記蓄電装置は、
停電時において、前記発電装置の自立運転機能により出力された電力を負荷に供給する電力線と；
前記発電装置が生成した電力を蓄える蓄電池と；
前記制御装置から指示された充電電流または充電電力に応じた電流で、前記蓄電池を充電する充放電実行部と；
を具備し、
前記制御装置は、
停電時において、所定の時間帯であって、且つ、前記発電装置によって前記負荷に供給される電力が前記発電装置の自立運転機能により出力されている電力を下回っている場合に、前記充電電力を調整し、調整した充電電力または当該充電電力に応じた充電電流を前記蓄電装置に指示する充電制御部；
を具備する創蓄電システム。
【発明の詳細な説明】
【技術分野】
【０００１】
本発明は、蓄電システム、制御装置、制御方法、および創蓄電システムに関する。
【背景技術】
【０００２】
例えば下記の特許文献１には、太陽光発電装置と蓄電池とを組み合わせた直流電源制御装置が開示されている。本文献の直流電源制御装置では、停電時に、蓄電池に蓄えられた電力が負荷に供給される。
【先行技術文献】
【特許文献】
【０００３】
【特許文献１】特開２０１３−４２６２７号公報
【発明の概要】
【発明が解決しようとする課題】
【０００４】
ところで、太陽光発電装置があると、停電時にも電力を生成して負荷に供給できる場合がある。しかし、負荷で消費される電力が少ないと、太陽光発電装置で発電された電力のうち、負荷で消費されなかった余剰分は破棄されてしまう。また、太陽光発電装置によって生成される電力は、太陽と雲の位置関係によって変動するため、太陽光発電装置によって生成される電力の変動を予想することは難しい。
【０００５】
そのため、負荷で消費されなかった余剰分の電力を蓄電池に充電することもできるが、変動分を見越した十分小さな充電電流で充電するしかない。これでは、負荷で消費されなかった余剰分の電力の一部が蓄電池に充電されるにすぎず、その大半は破棄されてしまうことになる。このように、現状の電源制御システムでは、太陽光発電装置や蓄電池の能力を十分に活用できていない。
【０００６】
そこで、本発明が解決しようとする課題は、停電時において、発電装置および蓄電池の能力を十分に活用することができる蓄電システム、制御装置、制御方法、および創蓄電システムを提供することである。
【課題を解決するための手段】
【０００７】
本実施形態に係る蓄電システムは、自然エネルギーに基づいて発電装置が生成した電力を蓄える蓄電装置と、前記蓄電装置の充電を制御する制御装置とを具備する。前記蓄電装置は、停電時において、前記発電装置の自立運転機能により出力された電力を負荷に供給する電力線と、前記発電装置が生成した電力を蓄える蓄電池と、前記制御装置から指示された充電電流または充電電力に応じた電流で、前記蓄電池を充電する充放電実行部とを具備し、前記制御装置は、停電時において、所定の時間帯であって、且つ、前記発電装置によって前記負荷に供給される電力が前記発電装置の自立運転機能により出力されている電力を下回っている場合に、前記充電電力を調整し、調整した充電電力または当該充電電力に応じた充電電流を前記蓄電装置に指示する充電制御部を具備する。
【図面の簡単な説明】
【０００８】
【図１】図１は、第１および第２の実施形態に係る創蓄電システムの一例を示すシステム構成図である。
【図２】図２は、第１の実施形態に係る蓄電装置の機能構成の一例を示すブロック図である。
【図３】図３は、第１の実施形態に係る制御装置の機能構成の一例を示すブロック図である。
【図４】図４は、第１の実施形態に係る制御装置の動作の一例を示すフローチャートである。
【図５】図５は、第１の実施形態に係る制御装置の動作の一例を示すフローチャートである。
【図６】図６は、第２の実施形態に係る制御装置の動作の一例を示すフローチャートである。
【図７】図７は、第２の実施形態に係る制御装置の動作の一例を示すフローチャートである。
【図８】図８は、制御装置の機能を実現するコンピュータの一例を示すハードウェア構成図である。
【発明を実施するための形態】
【０００９】
以下で説明する実施形態に係る蓄電システム１０は、自然エネルギーに基づいて発電装置２０が生成した電力を蓄える蓄電装置３０と、前記蓄電装置３０の充電を制御する制御装置４０とを具備する。前記蓄電装置３０は、切替部３２と、蓄電池３３と、充放電実行部３４と、停電検出部３５とを具備する。切替部３２は、停電時において、前記発電装置２０の自立運転機能により出力された電力を負荷に供給する。蓄電池３３は、前記発電装置２０が生成した電力を蓄える。充放電実行部３４は、前記制御装置４０から指示された充電電流または充電電力に応じた電流で、前記蓄電池３３を充電する。また、前記制御装置４０は、充電制御部４１を具備する。充電制御部４１は、停電時において、発電装置２０の自立運転機能により出力可能な値以下の電力値から、前記切替部３２によって前記負荷に供給される電力と、第一の電力とを差し引いた電力となるように前記充電電力を調整し、調整した充電電力または当該充電電力に応じた充電電流を前記蓄電装置３０に指示する。
【００１０】
また、以下で説明する実施形態に係る蓄電システム１０において、前記第一の電力値は、前記発電装置２０の自立運転機能により出力された電力の変動幅、および、前記切替部３２によって前記負荷に供給された電力の変動幅に基づいて算出されてもよい。
【００１１】
また、以下で説明する実施形態に係る蓄電システム１０において、前記充電制御部４１は、前記切替部３２によって前記負荷に供給された電力と、調整された前記充電戦力との合計が、前記発電装置２０が自立運転機能により出力している電力を超えた場合に、予め定められた期間、前記蓄電池３３の充電停止させる充電停止指示を前記蓄電装置３０へ送信し、前記充放電実行部３４は、前記制御装置４０から前記充電停止指示を受信した場合に、前記蓄電池３３への充電を停止するようにしてもよい。
【００１２】
また、以下で説明する実施形態に係る蓄電システム１０は、自然エネルギーに基づいて発電装置２０が生成した電力を蓄える蓄電装置３０と、前記蓄電装置３０の充電を制御する制御装置４０とを具備する。前記蓄電装置３０は、切替部３２と、蓄電池３３と、充放電実行部３４と、停電検出部３５とを具備する。切替部３２は、停電時において、前記発電装置２０の自立運転機能により出力された電力を負荷に供給する。蓄電池３３は、前記発電装置２０が生成した電力を蓄える。充放電実行部３４は、前記制御装置４０から指示された充電電流で、前記蓄電池３３を充電する。また、前記制御装置４０は、充電制御部４１を具備する。充電制御部４１は、停電時において、発電装置２０の自立運転機能により出力可能な値以下の電流値から、前記切替部３２によって前記負荷に供給される電流と、第一の電流とを差し引いた電流となるように前記充電電流を調整し、調整した充電電流を前記蓄電装置３０に指示する。
【００１３】
また、以下で説明する実施形態に係る蓄電システム１０は、自然エネルギーに基づいて発電装置２０が生成した電力を蓄える蓄電装置３０と、前記蓄電装置３０の充電を制御する制御装置４０とを具備する。前記蓄電装置３０は、切替部３２と、蓄電池３３と、充放電実行部３４と、停電検出部３５とを具備する。切替部３２は、停電時において、前記発電装置２０の自立運転機能により出力された電力を負荷に供給する。蓄電池３３は、前記発電装置２０が生成した電力を蓄える。充放電実行部３４は、前記制御装置４０から指示された充電電流または充電電力に応じた電流で、前記蓄電池３３を充電する。また、前記制御装置４０は、充電制御部４１を具備する。充電制御部４１は、停電時において、第二の電力を初期値として、前回調整した前記充電電力と、前記切替部３２によって前記負荷に供給される電力との合計が、前記発電装置２０の自立運転機能により出力される電力を、第一の時間継続して下回っている場合に、前記前回調整した充電電力に第三の電力を加えた電力となるように、今回の充電電力を調整する電力増加処理を行い、調整した充電電力または当該充電電力に応じた充電電流を前記蓄電装置３０に指示する。
【００１４】
また、以下で説明する実施形態に係る蓄電システム１０において、前記充電制御部４１は、前回調整した充電電力と、前記切替部３２によって前記負荷に供給された電力との合計が、前記第一の時間以内に、前記発電装置２０が自立運転機能により出力している電力を超えた場合に、前回調整した充電電力から前記第三の電力よりも大きい第四の電力分減少させた電力となるよう前記充電電力を調整し、前記第四の電力分減少させた電力となるよう調整した前記充電電力と、前記切替部３２によって前記負荷に供給された電力との合計が、前記発電装置２０が自立運転機能により出力している電力を、前記第一の時間よりも長い第二の時間継続して下回った場合に、前記電力増加処理を再開するようにしてもよい。
【００１５】
また、以下で説明する実施形態に係る蓄電システム１０において、前記充電制御部４１は、前記発電装置２０が自然エネルギーにより電力を生成することができる時間帯に停電が発生した場合に、調整した充電電力または当該充電電力に応じた充電電流を前記蓄電装置３０に指示するようにしてもよい。
【００１６】
また、以下で説明する実施形態に係る制御装置４０は、自然エネルギーに基づいて発電装置２０によって生成された電力の蓄電装置３０への充電を制御する制御装置４０であって、充電制御部４１を具備する。充電制御部４１は、停電時において、発電装置２０の自立運転機能により出力可能な値以下の電力値から、前記切替部３２によって前記負荷に供給される電力と、第一の電力とを差し引いた電力となるように前記充電電力を調整し、調整した充電電力または当該充電電力に応じた充電電流を前記蓄電装置３０に指示する。
【００１７】
また、以下で説明する実施形態に係る制御装置４０が実行する制御方法は、自然エネルギーに基づいて発電装置２０によって生成された電力の蓄電装置３０への充電を制御する制御装置４０における制御方法であって、停電時において、前記発電装置２０の自立運転機能により出力可能な値以下の電力値から、負荷に供給される電力と、第一の電力とを差し引いた電力となるように前記充電電力を調整し、調整した充電電力または当該充電電力に応じた充電電流を前記蓄電装置３０に指示する工程を含む。
【００１８】
また、以下で説明する実施形態に係る創蓄電システム１は、自然エネルギーに基づいて発電する発電装置２０と、発電装置２０が生成した電力を蓄える蓄電装置３０と、前記蓄電装置３０の充電を制御する制御装置４０とを具備する。前記蓄電装置３０は、切替部３２と、蓄電池３３と、充放電実行部３４と、停電検出部３５とを具備する。切替部３２は、停電時において、前記発電装置２０の自立運転機能により出力された電力を負荷に供給する。蓄電池３３は、前記発電装置が生成した電力を蓄える。充放電実行部３４は、前記制御装置４０から指示された充電電流または充電電力に応じた電流で、前記蓄電池３３を充電する。前記制御装置４０は、充電制御部４１を具備する。充電制御部４１は、停電時において、前記発電装置２０の自立運転機能により出力可能な値以下の電力値から、前記切替部３２によって前記負荷に供給される電力と、第一の電力とを差し引いた電力となるように前記充電電力を調整し、調整した充電電力または当該充電電力に応じた充電電流を前記蓄電装置３０に指示する。
【００１９】
（第１の実施形態）
［蓄電システム１０の構成］
図１は、第１および第２の実施形態に係る創蓄電システム１の一例を示すシステム構成図である。本実施形態および後述する第２の実施形態に係る創蓄電システム１は、住宅などの施設内に設けられ、発電装置２０と蓄電システム１０とを備える。蓄電システム１０は、蓄電装置３０および制御装置４０を有する。尚、図１乃至３において、実線や実線矢印は電力配線や電力供給の向きを示し、点線や点線矢印は信号配線や信号送出の向きを示している。
【００２０】
また、住宅などの所定の施設には、太陽光などの自然エネルギーを用いて発電する発電装置２０が設けられる。本実施形態の発電装置２０は、太陽光パネル２１およびパワーコンディショナ２２を有する。本実施形態では、自然エネルギーとして太陽光を用いる発電装置２０を例に説明するが、本発明はこれに限られず、風力や波力及びその他の自然エネルギーを用いる発電装置にも適用することが可能である。
【００２１】
また、本実施形態におけるパワーコンディショナ２２は、自立運転機能を有しており、停電時に、太陽光パネル２１によって生成された電力を例えばＡＣ１００Ｖの電力に変換し、変換した電力を蓄電装置３０に供給する。蓄電装置３０は、発電装置２０から供給された電力を、分電盤１３を介して選択負荷である機器１５ａや１５ｂに供給する。
【００２２】
系統１１から電力が供給されているとき、分電盤１２は、供給された電力を、通常の電気配線やコネセントを介して一般負荷である機器１４ａや１４ｂに供給する。また、分電盤１２は、蓄電装置３０及び分電盤１３を介して、系統１１から供給されている電力を、選定負荷である機器１５ａや１５ｂに供給する。
【００２３】
分電盤１３は、蓄電装置３０から受け取った電力を、非常用の電気配線やコンセントを介して、機器１５ａや１５ｂに供給する。
【００２４】
制御装置４０は、蓄電装置３０から停電の発生を示す信号を受信した場合に、パワーコンディショナ２２の自立運転機能により出力された電力を、分電盤１３を介して非常用の電気配線やコンセントに供給するよう蓄電装置３０に指示する。そして、選定負荷によって消費されている電力が、太陽光パネル２１によって生成されている発電容量を下回っている場合（すなわち、蓄電装置３０が容量オーバーを検出していない場合）に、制御装置４０は、蓄電装置３０内の蓄電池の充電を蓄電装置３０に指示する。
【００２５】
このとき、制御装置４０は、パワーコンディショナ２２の自立運転機能により出力された電力のうち、選定負荷に供給されている電力を差し引いた残りの電力の範囲内で蓄電池を充電するように充電電力を調整し、調整した充電電力で蓄電池を充電するよう蓄電装置３０に指示する。尚、制御装置４０から蓄電装置３０への指示は、蓄電池の充電電力ではなく、充電電流を調整することとしてもよい。
【００２６】
また、制御装置４０は、天候の悪化や選定負荷によって消費される電力の増加などにより、選定負荷によって消費されている電力が、太陽光パネル２１によって生成されている発電容量を上回った場合（すなわち容量オーバーとなった場合）、制御装置４０は、蓄電装置３０内の蓄電池の充電を一定期間停止するよう蓄電装置３０に指示する。
【００２７】
このように、本実施形態の制御装置４０は、停電時に、発電装置２０によって生成された電力を、選定負荷に優先的に供給し、残りの電力を、充電電力を調整しながら蓄電装置３０の蓄電池に蓄えるため、停電時においても蓄電池に電力を蓄えることができると共に、発電装置２０によって生成された電力のうち、破棄される電力を極力少なくして、発電装置２０によって生成された電力を効率よく活用することができる。
【００２８】
［蓄電装置３０の構成］
図２は、第１の実施形態に係る蓄電装置３０の機能構成の一例を示すブロック図である。蓄電装置３０は、ＰＶ出力検出部３１、切替部３２、蓄電池３３、充放電実行部３４、および停電検出部３５を有する。
【００２９】
ＰＶ出力検出部３１は、パワーコンディショナ２２から蓄電装置３０へ供給されている電力が、太陽光パネル２１によって生成されている発電容量を上回っている（すなわち、容量オーバー）か否かを判定し、判定結果を示すモニタ信号を出力する。そして、蓄電装置３０は、ＰＶ出力検出部３１から出力されたモニタ信号を、図示しない通信装置を介して制御装置４０へ送信する。当該通信装置は、モニタ信号に変化があった場合にのみモニタ信号を制御装置４０へ送信するようにしてもよい。また、本実施形態におけるモニタ信号は、例えば、容量オーバーの場合にＬｏｗ、容量オーバーでない場合にＨｉｇｈを示す信号である。また、容量オーバーか否かの判断は、例えば、パワーコンディショナ２２からの出力の有無を判定したり、所定の閾値を基準に判定したりすることで実現される。
【００３０】
切替部３２は、分電盤１２と分電盤１３を繋ぐ電力線の途中に配置され、停電時には、分電盤１２と分電盤１３との連携を切断する。選定負荷には、電力線と分電盤１３を介して電力が供給される。また、切替部３２は、制御装置４０からの指示に応じて、分電盤１３を介して選定負荷に供給する電力を、発電装置２０のパワーコンディショナ２２から供給された電力、または、蓄電池３３から放電された電力のいずれか一方に切り替える。具体的には、切替部３２は、制御装置４０から放電停止指示を受信した場合に、分電盤１３を介して選定負荷に供給する電力を、発電装置２０のパワーコンディショナ２２から供給された電力に切り替える。また、切替部３２は、制御装置４０から放電開始指示を受信した場合に、分電盤１３を介して選定負荷に供給する電力を、蓄電池３３に蓄えられた電力に切り替える。停電検出部３５は、分電盤１２からの電力供給の有無を監視し、電力供給が途絶したことを検知した場合に、停電検出信号を出力する。そして、蓄電装置３０は、停電検出部３５から出力された停電検出信号を、制御装置４０へ送信する。
【００３１】
また、蓄電装置３０には、分電盤１３に接続される電力線に供給される負荷電流もしくは負荷電力（選定負荷で消費されている電流の合計値もしくは電力の合計値）を測定する負荷電流測定器３６が設置され、測定した負荷電流もしくは負荷電力を出力する。そして、蓄電装置３０は、負荷電流もしくは負荷電力を示す情報を、図示しない通信装置を介して制御装置４０へ送信する。
【００３２】
充放電実行部３４は、発電装置２０から供給された電力のうち、制御装置４０から受信した充電指示に含まれている充電電流、もしくは充電指示に含まれている充電電力から換算した充電電流で、蓄電池３３を充電する。また、充放電実行部３４は、制御装置４０から充電停止を指示された場合に、蓄電池３３への充電を停止する。尚、制御装置４０との信号の送受には、蓄電装置３０内に設けられた通信装置（図示せず）を介して行なってもよい。
【００３３】
［制御装置４０の構成］
図３は、第１の実施形態に係る制御装置４０の機能構成の一例を示すブロック図である。制御装置４０は、充電制御部（充放電制御部）４１および入力受付部４２を有する。
【００３４】
入力受付部４２は、ユーザから、蓄電池３３の放電指示、蓄電池３３の充電指示、または後述する第一の電力の情報を受け付けた場合に、受け付けた情報を充電制御部４１へ送る。なお、入力受付部４２は、第一の電力をユーザから受け付ける場合、充電制御部４１に現在設定されている第一の電力の情報を充電制御部４１から取得して、制御装置４０に設けられた表示装置（図示せず）に表示してもよい。
【００３５】
充電制御部４１は、蓄電装置３０から停電検出信号を受信した場合に、発電装置２０から出力された電力のうち、選定負荷に供給された電力を差し引いた残りの電力に基づいて充電電力を調整し、調整した充電電力の値を含む充電指示を蓄電装置３０へ送信する。
【００３６】
充電制御部４１は、例えば、発電装置２０の自立運転機能により出力可能な値以下の電力値から、選定負荷に供給されている電力と、予め定められた第一の電力とを差し引いた電力となるように充電電力を調整する。本実施形態において、発電装置２０の自立運転機能により出力可能な値の電力とは、例えば発電装置２０の定格電力（例えば、１５００Ｗ）である。発電装置２０の定格電力および第一の電力の情報は、充電制御部４１に予め設定される。
【００３７】
ここで、予め定められた第一の電力は、例えば、発電装置２０から出力された電力の変動幅、および、選定負荷に供給された電力の変動幅に基づいて算出されることが好ましい。例えば、発電装置２０から出力された電力の１日の変動幅を、数週間、数か月、数年分のデータから統計処理（例えば平均）して算出する。また、停電時に選定負荷によって消費される電力の１日の変動幅についても、モニタ調査等により収集したデータから統計処理（例えば平均）して算出する。そして、算出されたこれらの変動幅の合計が第一の電力として充電制御部４１に予め設定される。
【００３８】
例えば、発電装置２０から出力された電力の１日の変動幅が、３００Ｗと算出され、停電時に選定負荷によって消費された電力の１日の変動幅が２００Ｗと算出された場合、３００＋２００＝５００Ｗが第一の電力として充電制御部４１に予め設定される。
【００３９】
なお、上記した第一の電力は、時間帯や曜日、季節毎に異なる値が充電制御部４１内に予め準備され、充電制御部４１は、それぞれの時間帯や曜日、季節毎に、対応する第一の電力の情報を用いて、充電電力を調整するようにしてもよい。また、充電制御部４１は、内蔵メモリ等に第一の電力の情報を予め保持しておく他、通信回線を介して外部のサーバに問い合わせて、現在の時間帯や曜日、季節に対応する第一の電力の情報を取得して充電電力を調整するようにしてもよい。
【００４０】
また、充電制御部４１は、蓄電装置３０から容量オーバーを示すモニタ信号を受信した場合に、蓄電池３３への充電を予め定められた期間停止させる充電停止指示を蓄電装置３０へ送信する。このように、充電制御部４１は、発電装置２０が容量オーバーである場合に、蓄電池３３への充電を停止することにより、発電装置２０から出力された電力を、選定負荷に優先的に供給することができる。
【００４１】
また、充電制御部４１は、蓄電池３３の充電指示を入力受付部４２から受け取った場合に、蓄電池３３が放電中であれば、蓄電池３３からの放電を停止させる放電停止指示を蓄電装置３０へ送信し、充電電力の調整を再開する。また、充電制御部４１は、放電指示を入力受付部４２から受け取った場合に、蓄電池３３からの放電を開始させる放電開始指示を蓄電装置３０へ送信する。また、充電制御部４１は、第一の電力を入力受付部４２から受け取った場合に、保持している第一の電力を、受け取った値で更新する。
【００４２】
尚、充電制御部４１と蓄電装置３０との間の通信は、充電制御部４１に信号通信機能を持たせ、当該信号通信機能を用いて行われてもよく、制御装置４０内に充電制御部４１とは別に通信用のユニットを設け、当該ユニットを用いて行われてもよい。
【００４３】
［制御装置４０の動作］
図４および図５は、第１の実施形態に係る制御装置４０の動作の一例を示すフローチャートである。本実施形態の制御装置４０は、例えば、蓄電装置３０から停電検出信号を受信した場合に、本フローチャートに示す動作を開始する。
【００４４】
まず、充電制御部４１は、蓄電池３３の放電を開始させる放電開始指示を蓄電装置３０へ送信する（Ｓ１００）。蓄電装置３０の切替部３２は、受信した放電開始指示に従って、分電盤１３を介して選定負荷に供給する電力を、蓄電池３３に蓄えられた電力に切り替える。蓄電装置３０の充放電実行部３４は、受信した放電開始指示に従って、蓄電池３３に蓄えられた電力の放電を開始する。
【００４５】
次に、充電制御部４１は、現在時刻が所定の時間帯に含まれているか否かを判定する（Ｓ１０２）。ここで、所定の時間帯とは、自然エネルギーによって電力を生成できる時間帯であり、太陽光発電であれば、太陽が出ている時間帯であって、電力を生成するのに十分な日射量がある時間帯（例えば、８時から１６時）を指す。なお、電力を生成するのに十分な日射量がある時間帯は、季節や緯度等の要素で異なるため、充電制御部４１は、季節や緯度等の情報に対応付けて、電力を生成するのに十分な日射量がある時間を予め保持し、現在の日時や設置された地点の緯度等に基づいて時間帯を特定するようにしてもよい。
【００４６】
現在時刻が所定の時間帯に含まれている場合（Ｓ１０２：Ｙｅｓ）、充電制御部４１は、蓄電装置３０からのモニタ信号を参照し、当該モニタ信号が容量オーバーを示しているか否かを判定する（Ｓ１０４）。現在時刻が所定の時間帯に含まれていない場合（Ｓ１０２：Ｎｏ）、または、モニタ信号が容量オーバーを示している場合（Ｓ１０４：Ｙｅｓ）、充電制御部４１は、再びステップＳ１０２に示した処理を実行する。
【００４７】
モニタ信号が容量オーバーを示していない場合（Ｓ１０４：Ｎｏ）、充電制御部４１は、蓄電池３３の放電を停止させる放電停止指示を蓄電装置３０へ送る（Ｓ１０６）。蓄電装置３０の切替部３２は、受信した放電停止指示に従って、分電盤１３を介して選定負荷に供給する電力を、発電装置２０のパワーコンディショナ２２から供給された電力に切り替える。蓄電装置３０の充放電実行部３４は、受信した放電停止指示に従って、蓄電池３３からの放電を停止する。
【００４８】
次に、充電制御部４１は、定数Ｂｕｆｆに第一の電力（例えば５００）を設定し、充電電力ＣＰに初期値として０を設定し、定数ＲＰに発電装置２０の定格電力の値（例えば１５００）を設定する（Ｓ１１０）。そして、充電制御部４１は、現在時刻が所定の時間帯に含まれているか否かを判定する（Ｓ１１２）。現在時刻が所定の時間帯に含まれていない場合（Ｓ１１２：Ｎｏ）、充電制御部４１は、図５のステップＳ１２２に示す処理を実行する。
【００４９】
現在時刻が所定の時間帯に含まれている場合（Ｓ１１２：Ｙｅｓ）、充電制御部４１は、蓄電装置３０の切替部３２から通知されている負荷電力ＬＷを取得する（Ｓ１１４）。そして、充電制御部４１は、例えば、以下の式（１）に従って、充電電力ＣＰを調整する（Ｓ１１６）。
ＣＰ＝ＲＰ−Ｂｕｆｆ−ＬＷ    ・・・（１）
【００５０】
なお、充電制御部４１は、切替部３２から通知されている負荷電力ＬＷの瞬時値を用いて充電電力ＣＰを算出するのではなく、所定時間毎の負荷電力ＬＷの移動平均をとるなどして充電電力ＣＰの算出結果の変動を低く抑えることが好ましい。
【００５１】
次に、充電制御部４１は、調整した充電電力ＣＰの値を含む充電指示を蓄電装置３０へ送信する（Ｓ１１８）。蓄電装置３０の充放電実行部３４は、受信した充電指示に含まれている充電電力から換算した充電電流で蓄電池３３の充電を実行する。そして、充電制御部４１は、蓄電装置３０からのモニタ信号を参照し、当該モニタ信号が容量オーバーを示しているか否かを判定する（Ｓ１２０）。モニタ信号が容量オーバーを示していない場合（Ｓ１２０：Ｎｏ）、充電制御部４１は、再びステップＳ１１２に示した処理を実行する。
【００５２】
一方、モニタ信号が容量オーバーを示している場合（Ｓ１２０：Ｙｅｓ）、充電制御部４１は、蓄電池３３への充電を停止させる充電停止指示を蓄電装置３０へ送る（図５のＳ１２２）。蓄電装置３０の充放電実行部３４は、充電停止の指示に従って、蓄電池３３への充電を停止する。
【００５３】
次に、充電制御部４１は、蓄電装置３０からのモニタ信号を参照し、当該モニタ信号が容量オーバーを示しているか否かを判定する（Ｓ１２４）。なお、ステップＳ１２０において容量オーバーと判定されてからの経過時間が短いと、ステップＳ１２４においても、モニタ信号の状態に変化がない場合がある。そのため、ステップＳ１２２において容量オーバーと判定された場合には、発電装置２０の発電出力が安定するまで、例えば数秒間待機してから、充電制御部４１は、ステップＳ１２４の判定を行う。
【００５４】
モニタ信号が容量オーバーを示していない場合（Ｓ１２４：Ｎｏ）、充電制御部４１は、現在時刻が所定の時間帯に含まれているか否かを判定する（Ｓ１２６）。現在時刻が所定の時間帯に含まれている場合（Ｓ１２６：Ｙｅｓ）、充電制御部４１は、入力受付部４２を介してユーザから充電指示を受け付けたか否かを判定する（Ｓ１２８）。
【００５５】
ユーザから充電指示を受け付けていない場合（Ｓ１２８：Ｎｏ）、充電制御部４１は、ステップＳ１２２または後述するステップＳ１４４のうち、いずれか遅い方が実行されてから所定時間（例えば１時間）が経過したか否かを判定する（Ｓ１３０）。所定時間が経過していない場合（Ｓ１３０：Ｎｏ）、充電制御部４１は、再びステップＳ１２４に示した処理を実行する。また、ユーザから充電指示を受け付けた場合（Ｓ１２８：Ｙｅｓ）、または、所定時間が経過した場合（Ｓ１３０：Ｙｅｓ）、充電制御部４１は、図４のステップＳ１１０に示した処理を実行する。
【００５６】
また、モニタ信号が容量オーバーを示している場合（Ｓ１２４：Ｙｅｓ）、または、現在時刻が所定の時間帯に含まれていない場合（Ｓ１２６：Ｎｏ）、充電制御部４１は、蓄電池３３の放電を開始させる放電開始指示を蓄電装置３０へ送信する（Ｓ１３４）。蓄電装置３０の切替部３２は、受信した放電開始指示に従って、分電盤１３を介して選定負荷に供給する電力を、蓄電池３３に蓄えられた電力に切り替える。蓄電装置３０の充放電実行部３４は、受信した放電開始指示に従って、蓄電池３３からの放電を開始する。
【００５７】
次に、充電制御部４１は、現在時刻が所定の時間帯に含まれているか否かを判定する（Ｓ１３６）。現在時刻が所定の時間帯に含まれている場合（Ｓ１３６：Ｙｅｓ）、充電制御部４１は、蓄電装置３０からのモニタ信号を参照し、当該モニタ信号が容量オーバーを示しているか否かを判定する（Ｓ１３８）。モニタ信号が容量オーバーを示していない場合（Ｓ１３８：Ｎｏ）、充電制御部４１は、入力受付部４２を介してユーザから充電指示を受け付けたか否かを判定する（Ｓ１４０）。
【００５８】
ユーザから充電指示を受け付けていない場合（Ｓ１４０：Ｎｏ）、充電制御部４１は、ステップＳ１３４を実行してから所定時間（例えば１時間）が経過したか否かを判定する（Ｓ１４２）。現在時刻が所定の時間帯に含まれていない場合（Ｓ１３６：Ｎｏ）、モニタ信号が容量オーバーを示している場合（Ｓ１３８：Ｙｅｓ）、または、ステップＳ１３４を実行してから所定時間が経過していない場合（Ｓ１４２：Ｎｏ）、充電制御部４１は、再びステップＳ１３６に示した処理を実行する。
【００５９】
また、ユーザから充電指示を受け付けた場合（Ｓ１４０：Ｙｅｓ）、または、ステップＳ１３４を実行してから所定時間が経過した場合（Ｓ１４２：Ｙｅｓ）、充電制御部４１は、蓄電池３３の放電を停止させる放電停止指示を蓄電装置３０へ送信する（Ｓ１４４）。蓄電装置３０の切替部３２は、受信した放電停止指示に従って、分電盤１３を介して選定負荷に供給する電力を、発電装置２０のパワーコンディショナ２２から供給された電力に切り替える。蓄電装置３０の充放電実行部３４は、受信した放電停止指示に従って、蓄電池３３からの放電を停止する。そして、充電制御部４１は、再びステップＳ１２４に示した処理を実行する。
【００６０】
なお、入力受付部４２を介して充電制御部４１がユーザから放電指示を受け付けた場合、上記のフローチャート中のどの処理を実行していても、充電制御部４１は、蓄電池３３の放電を開始させる放電開始指示を蓄電装置３０へ送信する。蓄電装置３０の切替部３２は、受信した放電開始指示に従って、分電盤１３を介して選定負荷に供給する電力を、蓄電池３３に蓄えられた電力に切り替える。蓄電装置３０の充放電実行部３４は、受信した放電開始指示に従って、蓄電池３３からの放電を開始する。
【００６１】
その後、入力受付部４２を介して充電制御部４１がユーザから充電指示を受け付けた場合、充電制御部４１は、ステップＳ１０６の処理から上記のフローチャートに示した処理を再開する。
【００６２】
尚、以上は、発電装置２０の出力可能な値以下の電力値から、負荷への供給電力と、第一の電力とを差し引いた電力を充電電力として用いる例を示したが、各電力を電流に置き換えて充電電力を算出するようにしてもよい。その場合の例を以下に説明する。
【００６３】
例えば、充電制御部４１を、停電時において、発電装置２０の自立運転機能により出力可能な値以下の電流値から、電力線によって負荷に供給される電流と、第一の電流とを差し引いた電流となるように充電電流を調整し、調整した充電電流を蓄電装置３０に指示するように構成することもできる。この場合、Ｓ１１０、Ｓ１１４、Ｓ１１６、Ｓ１１８で夫々電力を使っていたのを、電流に置換えて用いる。
【００６４】
例えば、Ｓ１１０では、Ｂｕｆｆ値を５アンペア、充電電流ＣＡとして０アンペア、定格電流値ＲＡとして１５アンペアを初期値として設定する。Ｓ１１６では、前述の式（１）に代えて、下記の式（２）を用いて、充電電流ＣＡを算出する。
ＣＡ＝ＲＡ−Ｂｕｆｆ−ＬＡ    ・・・（２）
【００６５】
負荷電流ＬＡは負荷電流測定器３６によって測定される値である。例えば、負荷電流ＬＡの値が仮に５アンペアであったとすると、Ｓ１１６により得られる充電電流ＣＡは、５アンペアとなる。Ｓ１１８では、充電制御部４１は、得られた充電電流ＣＡでの充電を蓄電装置３０に指示する。  
【００６６】
以上、第１の実施形態について説明した。
【００６７】
上記説明から明らかなように、本実施形態の蓄電システム１０によれば、停電時において、発電装置および蓄電池の能力を十分に活用することができる。
【００６８】
（第２の実施形態）
次に、第２の実施形態について説明する。本実施形態では、蓄電装置３０の切替部３２に負荷電力を測定する機能が設けられておらず、負荷電力の測定値を用いずに充電電力を調整する点が第１の実施形態とは異なる。なお、本実施形態における蓄電システム１０、蓄電装置３０、および制御装置４０の構成は、以下に説明する点を除き、図１〜３に示した第１の実施形態における蓄電システム１０、蓄電装置３０、および制御装置４０の構成と同様であるため、説明を省略する。
【００６９】
本実施形態における充電制御部４１は、例えば、以下の方法で停電時における蓄電池３３の充電電力を調整する。即ち、充電制御部４１は、予め定められた第二の電力（例えば０Ｗ）を初期値として、前回調整した充電電力と、選定負荷に供給されている電力との合計が、発電装置２０が自立運転機能により出力している電力を下回っている場合（即ち、モニタ信号が容量オーバーを示していない場合）、その期間が、第一の時間（例えば６０秒間）継続すれば、前回調整した充電電力に第三の電力（例えば５０Ｗ）を加えた電力となるように、今回の充電電力を調整する電力増加処理を実行する。
【００７０】
このとき、充電制御部４１は、前回調整した充電電力と、選定負荷に供給されている電力との合計が、第一の時間以内に、発電装置２０が自立運転機能により出力している電力を超えた（即ち、モニタ信号が容量オーバーを示した）場合に、前回調整した充電電力から第三の電流値よりも大きい第四の電力（例えば１００Ｗ）分減少させた電力となるよう充電電力を調整する。
【００７１】
また、充電制御部４１は、第四の電力分減少させた電力となるよう調整した充電電力と、選定負荷に供給された電力との合計が、発電装置２０が自立運転機能により出力している電力を、第一の時間よりも長い第二の時間（例えば１時間）継続して下回った場合に、電力増加処理を再開する。
【００７２】
［制御装置４０の動作］
図６および図７は、第２の実施形態に係る制御装置４０の動作の一例を示すフローチャートである。本実施形態の制御装置４０は、例えば、蓄電装置３０から停電検出信号を受信した場合に、本フローチャートに示す動作を開始する。
【００７３】
まず、充電制御部４１は、蓄電池３３の放電を開始させる放電開始指示を蓄電装置３０へ送信する（Ｓ２００）。蓄電装置３０の切替部３２は、受信した放電開始指示に従って、分電盤１３を介して選定負荷に供給する電力を、蓄電池３３に蓄えられた電力に切り替える。蓄電装置３０の充放電実行部３４は、受信した放電開始指示に従って、蓄電池３３からの放電を開始する。
【００７４】
次に、充電制御部４１は、現在時刻が所定の時間帯に含まれているか否かを判定する（Ｓ２０２）。ここで、所定の時間帯とは、自然エネルギーによって電力を生成できる時間帯であり、太陽光発電であれば、太陽が出ており、電力を生成するのに十分な日射量がある時間帯（例えば、８時から１６時）を指す。
【００７５】
現在時刻が所定の時間帯に含まれている場合（Ｓ２０２：Ｙｅｓ）、充電制御部４１は、蓄電装置３０からのモニタ信号を参照し、当該モニタ信号が容量オーバーを示しているか否かを判定する（Ｓ２０４）。現在時刻が所定の時間帯に含まれていない場合（Ｓ２０２：Ｎｏ）、または、モニタ信号が容量オーバーを示している場合（Ｓ２０４：Ｙｅｓ）、充電制御部４１は、再びステップＳ２０２に示した処理を実行する。
【００７６】
モニタ信号が容量オーバーを示していない場合（Ｓ２０４：Ｎｏ）、充電制御部４１は、蓄電池３３の放電を停止させる放電停止指示を蓄電装置３０へ送信する（Ｓ２０６）。蓄電装置３０の切替部３２は、受信した放電停止指示に従って、分電盤１３を介して選定負荷に供給する電力を、発電装置２０のパワーコンディショナ２２から供給された電力に切り替える。蓄電装置３０の充放電実行部３４は、受信した放電停止指示に従って、蓄電池３３からの放電を停止する。
【００７７】
次に、充電制御部４１は、充電電力ＣＰに初期値として第二の電力（例えば０）を設定し、上限値Ｌｉｍに例えば５００を設定する（Ｓ２１０）。そして、充電制御部４１は、現在時刻が所定の時間帯に含まれているか否かを判定する（Ｓ２１２）。現在時刻が所定の時間帯に含まれていない場合（Ｓ２１２：Ｎｏ）、充電制御部４１は、ステップＳ２３０に示す処理を実行する。
【００７８】
現在時刻が所定の時間帯に含まれている場合（Ｓ２１２：Ｙｅｓ）、充電制御部４１は、充電電力ＣＰの値を含む充電指示を蓄電装置３０へ送信する（Ｓ２１４）。蓄電装置３０の充放電実行部３４は、受信した充電指示に含まれている充電電力から換算した充電電流で蓄電池３３の充電を実行する。そして、充電制御部４１は、蓄電装置３０からのモニタ信号を参照し、当該モニタ信号が容量オーバーを示しているか否かを判定する（Ｓ２１６）。モニタ信号が容量オーバーを示していない場合（Ｓ２１６：Ｎｏ）、充電制御部４１は、充電電力ＣＰでの蓄電池３３の充電が第一の時間（例えば６０秒間）継続したか否かを判定する（Ｓ２１８）。
【００７９】
充電電力ＣＰでの蓄電池３３の充電が第一の時間継続した場合（Ｓ２１８：Ｙｅｓ）、充電制御部４１は、前回調整した充電電力ＣＰに第三の電力（例えば５０Ｗ）を加えた電力となるように、今回の充電電力ＣＰを調整する（Ｓ２２０）。調整した充電電力ＣＰが上限値Ｌｉｍより大きければ（Ｓ２２２：Ｙｅｓ）、充電制御部４１は、充電電力ＣＰを上限値Ｌｉｍに置き換え（Ｓ２２４）、再びステップＳ２１２に示した処理を実行する。
【００８０】
また、充電電力ＣＰでの蓄電池３３の充電が第一の時間継続していない場合（Ｓ２１８：Ｎｏ）、または、調整した充電電力ＣＰが上限値Ｌｉｍ未満であれば（Ｓ２２２：Ｎｏ）、充電制御部４１は、再びステップＳ２１２に示した処理を実行する。本実施形態では、ステップＳ２１０〜Ｓ２２４までの処理を、例えば電力増加処理と呼ぶ。
【００８１】
また、モニタ信号が容量オーバーを示している場合（Ｓ２１６：Ｙｅｓ）、充電制御部４１は、ステップＳ２２０において前回調整した充電電力ＣＰから第四の電力（例えば１００Ｗ）を引いた電力となるように、今回の充電電力ＣＰを調整する（Ｓ２２６）。そして、充電制御部４１は、現在時刻が所定の時間帯に含まれているか否かを判定する（Ｓ２２８）。
【００８２】
現在時刻が所定の時間帯に含まれていない場合（Ｓ２２８：Ｎｏ）、充電制御部４１は、蓄電池３３への充電を停止させる充電停止指示を蓄電装置３０へ送る（Ｓ２３０）。蓄電装置３０の充放電実行部３４は、充電停止の指示に従って、蓄電池３３への充電を停止する。そして、充電制御部４１は、図７のステップＳ２４４に示す処理を実行する。
【００８３】
一方、現在時刻が所定の時間帯に含まれている場合（Ｓ２２８：Ｙｅｓ）、充電制御部４１は、充電電力ＣＰの値を含む充電指示を蓄電装置３０へ送信する（Ｓ２３２）。蓄電装置３０の充放電実行部３４は、受信した充電指示に含まれている充電電力から換算した充電電流で蓄電池３３の充電を実行する。そして、充電制御部４１は、蓄電装置３０からのモニタ信号を参照し、当該モニタ信号が容量オーバーを示しているか否かを判定する（Ｓ２３４）。モニタ信号が容量オーバーを示していない場合（Ｓ２３４：Ｎｏ）、充電制御部４１は、充電電力ＣＰでの蓄電池３３の充電が第二の時間（例えば１時間）継続したか否かを判定する（Ｓ２３６）。
【００８４】
充電電力ＣＰでの蓄電池３３の充電が第二の時間継続した場合（Ｓ２３６：Ｙｅｓ）、充電制御部４１は、ステップＳ２２０に示した処理を実行する。一方、充電電力ＣＰでの蓄電池３３の充電が第二の時間継続していない場合（Ｓ２３６：Ｎｏ）、充電制御部４１は、再びステップＳ２２８に示した処理を実行する。
【００８５】
モニタ信号が容量オーバーを示している場合（Ｓ２３４：Ｙｅｓ）、充電制御部４１は、蓄電池３３への充電を停止させる充電停止指示を蓄電装置３０へ送る（図７のＳ２３８）。蓄電装置３０の充放電実行部３４は、充電停止の指示に従って、蓄電池３３への充電を停止する。
【００８６】
次に、充電制御部４１は、蓄電装置３０からのモニタ信号を参照し、当該モニタ信号が容量オーバーを示しているか否かを判定する（Ｓ２４０）。なお、ステップＳ２３４において容量オーバーと判定されてからの経過時間が短いと、ステップＳ２４０においても、モニタ信号の状態に変化がない場合がある。そのため、ステップＳ２３４において容量オーバーと判定された場合には、発電装置２０の発電出力が安定するまで、例えば数秒間待機してから、充電制御部４１は、ステップＳ２４０の判定を行う。
【００８７】
モニタ信号が容量オーバーを示していない場合（Ｓ２４０：Ｎｏ）、充電制御部４１は、再び図６のステップＳ２１０に示した処理を実行する。一方、モニタ信号が容量オーバーを示している場合（Ｓ２４０：Ｙｅｓ）、充電制御部４１は、蓄電池３３の放電を開始させる放電開始指示を蓄電装置３０へ送信する（Ｓ２４４）。蓄電装置３０の切替部３２は、受信した放電開始指示に従って、分電盤１３を介して選定負荷に供給する電力を、蓄電池３３に蓄えられた電力に切り替える。蓄電装置３０の充放電実行部３４は、受信した放電開始指示に従って、蓄電池３３からの放電を開始する。
【００８８】
次に、充電制御部４１は、現在時刻が所定の時間帯に含まれているか否かを判定する（Ｓ２４６）。現在時刻が所定の時間帯に含まれている場合（Ｓ２４６：Ｙｅｓ）、充電制御部４１は、蓄電装置３０からのモニタ信号を参照し、当該モニタ信号が容量オーバーを示しているか否かを判定する（Ｓ２４８）。モニタ信号が容量オーバーを示していない場合（Ｓ２４８：Ｎｏ）、充電制御部４１は、入力受付部４２を介してユーザから充電指示を受け付けたか否かを判定する（Ｓ２５０）。
【００８９】
ユーザから充電指示を受け付けていない場合（Ｓ２５０：Ｎｏ）、充電制御部４１は、ステップＳ２４４を実行してから所定時間（例えば１時間）が経過したか否かを判定する（Ｓ２５２）。現在時刻が所定の時間帯に含まれていない場合（Ｓ２４６：Ｎｏ）、モニタ信号が容量オーバーを示している場合（Ｓ２４８：Ｙｅｓ）、または、ステップＳ２４４を実行してから所定時間が経過していない場合（Ｓ２５２：Ｎｏ）、充電制御部４１は、再びステップＳ２４６に示した処理を実行する。
【００９０】
また、ユーザから充電指示を受け付けた場合（Ｓ２５０：Ｙｅｓ）、または、ステップＳ２４４を実行してから所定時間が経過した場合（Ｓ２５２：Ｙｅｓ）、充電制御部４１は、再び図６のステップＳ２０６に示した処理を実行する。
【００９１】
以上、本発明の第２の実施形態について説明した。
【００９２】
なお、上記した第１または第２の実施形態における制御装置４０は、例えば図８に示すようなコンピュータ５０によって実現される。図８は、制御装置４０の機能を実現するコンピュータ５０の一例を示すハードウェア構成図である。コンピュータ５０は、ＣＰＵ（Central  Processing  Unit）５１、ＲＡＭ（Random  Access  Memory）５２、ＲＯＭ（Read  Only  Memory）５３、通信インターフェイス（Ｉ／Ｆ）５４、入出力インターフェイス（Ｉ／Ｆ）５５、およびメディアインターフェイス（Ｉ／Ｆ）５６を備える。
【００９３】
ＣＰＵ５１は、ＲＯＭ５３に格納されたプログラムに基づいて動作し、各部の制御を行う。ＲＯＭ５３は、コンピュータ５０の起動時にＣＰＵ５１によって実行されるブートプログラムや、コンピュータ５０のハードウェアに依存するプログラム等を格納する。通信インターフェイス５４は、通信回線を介して他の機器からデータを受信してＣＰＵ５１へ送り、ＣＰＵ５１が生成したデータを、通信回線を介して他の機器へ送信する。
【００９４】
ＣＰＵ５１は、入出力インターフェイス５５を介して、液晶表示装置等の出力装置、および、タッチパネルやキーパッド等の入力装置を制御する。ＣＰＵ５１は、入出力インターフェイス５５を介して、入力装置からデータを取得する。また、ＣＰＵ５１は、生成したデータを、入出力インターフェイス５５を介して出力装置へ出力する。
【００９５】
メディアインターフェイス５６は、記録媒体５７に格納されたプログラムまたはデータを読み取り、ＲＡＭ５２を介してＣＰＵ５１に提供する。ＣＰＵ５１は、当該プログラムを、メディアインターフェイス５６を介して記録媒体５７からＲＡＭ５２上にロードし、ロードしたプログラムを実行する。記録媒体５７は、例えば磁気記録媒体や半導体メモリ等である。
【００９６】
コンピュータ５０が制御装置４０として機能する場合、コンピュータ５０のＣＰＵ５１は、ＲＡＭ５２上にロードされたプログラムを実行することにより、充電制御部４１および入力受付部４２の各機能を実現する。コンピュータ５０のＣＰＵ５１は、これらのプログラムを、記録媒体５７から読み取って実行するが、他の例として、他の装置から、通信媒体を介してこれらのプログラムを取得してもよい。
【００９７】
蓄電装置３０内に、制御装置４０から蓄電装置３０への充放電に関する指示を受け、受けた指示に基づいて切替部３２や充放電実行部３４に対して、その制御用の信号を出力する制御部を設けてもよい。
【００９８】
（他の実施形態）
なお、本発明は、上記した実施形態に限定されるものではなく、その要旨の範囲内で数々の変形が可能である。
【００９９】
例えば、上記した第１および第２の実施形態において、制御装置４０内の充電制御部４１は、調整した充電電力の値を含む充電指示を蓄電装置３０へ送信し、蓄電装置３０内の充放電実行部３４が、制御装置４０から受信した充電指示に含まれている充電電力から充電電流を換算して、換算した充電電流で蓄電池３３の充電を実行するが、本発明はこれに限られない。例えば、充電制御部４１は、調整した充電電力から充電電流を換算し、換算した充電電流の値を充電指示に含めて蓄電装置３０へ送信し、蓄電装置３０内の充放電実行部３４は、制御装置４０から受信した充電指示に含まれている充電電流で蓄電池３３の充電を実行するようにしてもよい。
【０１００】
また、上記した第１の実施形態において、充電制御部４１は、入力受付部４２を介して、ユーザから、蓄電池３３の放電指示、蓄電池３３の充電指示、第一の電力の情報を受け付けるが、本発明はこれに限られない。例えば、充電制御部４１は、インターネット等の通信回線を介して、ユーザが操作する端末からこれらの情報を取得するようにしてもよい。
【０１０１】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【０１０２】
１  創蓄電システム
１０  蓄電システム
２０  発電装置
３０  蓄電装置
３１  ＰＶ出力検出部
３２  切替部
３３  蓄電池
３４  充放電実行部
３５  停電検出部
３６  負荷電流測定器
４０  制御装置
４１  充電制御部（充放電制御部）
４２  入力受付部
【図１】
2018170956.tif 000003
【図２】
2018170956.tif 000004
【図３】
2018170956.tif 000005
【図４】
2018170956.tif 000006
【図５】
2018170956.tif 000007
【図６】
2018170956.tif 000008
【図７】
2018170956.tif 000009
【図８】
2018170956.tif 000010